(57)【特許請求の範囲】
【請求項１】
放送局で使用され、複数の映像音声素材の入力回線を有する映像音声素材記録装置において、
上記複数の入力回線を切り替える手段と、
映像音声素材を記録する記録手段と、
上記記録された映像音声素材の付帯情報を記録するデータベースと
を有し、
上記付帯情報には、上記入力回線情報、時刻情報、上記映像音声素材の収録機器、上記映像音声素材に対する取材の項目名、上記取材を行う人を表す情報および上記取材が行われる場所を表す情報が含まれることを特徴とする映像音声素材記録装置。
【請求項２】
請求項１に記載の映像音声素材記録装置において、
上記入力回線情報および上記時刻情報を自動的に上記データベースに登録することを特徴とする映像音声素材記録装置。
【請求項３】
請求項１に記載の映像音声素材記録装置において、
上記入力回線情報は、入力回線番号、入力回線名称、および入力回線のチャンネルと発局との対応関係を示す情報のうち１または複数であることを特徴とする映像音声素材記録装置。
【請求項４】
請求項１に記載の映像音声素材記録装置において、
上記時刻情報は、記録開始時刻と記録時間長、または、記録開始時刻と記録終了時刻であることを特徴とする映像音声素材記録装置。
【発明の詳細な説明】
【０００１】
【発明の属する技術分野】
この発明は、放送局における映像音声素材記録装置に関し、特に、記録された映像音声素材に対する検索が容易とされた映像音声素材記録装置に関する。
【０００２】
【従来の技術】
放送局においては、ビデオテープを記録媒体として取材ニュースなどの記録が行われる。また、近年では、この記録媒体として、光磁気ディスク、あるいはハードディスクなども用いられるようになった。
【０００３】
図３は、このような放送局におけるニュース送出システムの一例を概略的に示す。取材部１００において、ニュースなどの取材予定が作成され、素材収録装置１０１に供給される。この素材収録装置１０１は、取材された映像音声素材（以下、素材と称する）の受け入れ口としての機能を有し、受け入れた素材の収録を行うためのものである。取材は、多くの場合取材部１００において作成された取材予定に従って行われ、取材によって得られた素材が素材収録装置１０１において、ビデオテープなどの記録媒体に記録され収録される。
【０００４】
このとき、この素材収録装置１０１に対する素材の供給は、様々な方法によってなされる。例えば、図に示すように、衛星通信あるいはディジタル電話回線などの公衆回線を利用した回線１０２ａを介しての素材の供給、カメラ一体型ビデオテープレコーダ１０２ｂによって取材されたビデオテープからの供給、さらには、他から提供されたビデオテープがビデオテープレコーダ１０２ｃで再生されての供給がある。
【０００５】
このように素材収録装置１０１において収録された素材は、例えばこの素材収録装置１０１に接続された端末１０５などで検索可能とされ、検索された素材は、後述する編集部１０６などの外部に対して出力される。また、この素材収録装置１０１の素材の一部は、素材保管部１０３に送られ保管される。この素材保管部１０３においては、例えば、素材が記録された多数の素材ビデオテープ１０４が保管および管理される。
【０００６】
編集部１０６では、番組部１０７で作成された番組項目表に従い素材の編集が行われる。これは例えば、端末１０５などにより、この素材収録装置１０１に収録された素材の中から必要なものが検索され、検索で得られた素材が編集部１０６に供給される。そして、編集部１０６において供給された素材を基に編集が行われ、編集された素材が送出素材蓄積装置１０８に供給される。
【０００７】
送出素材蓄積装置１０８において、編集部１０６で編集された送出予定の素材が蓄積される。この送出素材蓄積装置１０８においても、上述の素材収録装置１０１と同様に、端末１０９によって蓄積された送出予定の素材の検索が可能とされる。この送出素材蓄積装置１０８から、端末１０９の操作などにより送出予定の素材が放映のため外部へ送出される。このように放映された素材は、保存のために複数の素材がまとめられ一本化されることがある。この場合には、一本化に必要な素材が端末１０９によって検索され、テープ一本化装置１１０に供給される。そして、供給された複数の素材は、テープ一本化装置１１０において一本化され、保存用一本化テープ１１１とされる。
【０００８】
【発明が解決しようとする課題】
このようなシステムにおいて、従来では、素材は、ビデオテープを記録媒体として記録され、素材収録装置１０１に収録される場合が多かった。この場合、このビデオテープに記録された素材についての取材内容および転送時刻などの各種の付加情報は、紙にメモ書きされ該当のビデオテープに添付されていた。
【０００９】
このような素材の管理方法の場合、ユーザは、このように素材が記録された各ビデオテープに対して、このメモ書きを頼りに素材の区別や記録内容の検索などを行わなければならなかった。
【００１０】
また、近年、この素材の記録媒体として、光磁気ディスクやハードディスクなどが利用されるようになった。これらの記録媒体が用いられる場合には、通常、一つの記録媒体に複数の素材が記録される。また、素材がビデオテープに記録される場合でも、多数のビデオテープが収納可能なカートマシンが使用される場合がある。このカートマシンの場合には、カートマシン全体が一つの記録媒体と見做される。これらのように、一つの記録媒体に複数の素材が記録されるような場合、従来の、メモ書きを記録された素材毎に添付する方法を採ることができないという問題点があった。
【００１１】
さらに、例えば、上述の図３の素材収録装置１０１において、通信回線１０２ａが複数の回線を有している場合が考えられる。このように、素材の供給が複数の入力回線から同時に行われ、素材収録装置１０１において収録が行われるような場合には、素材が多方面から次々と供給されるため、これら供給される素材についての情報を記録する十分な時間が確保できない。したがって、後刻になって記録内容が分からなくなってしまい、記録媒体から目的の素材を検索することが困難になってしまう問題点があった。
【００１２】
したがって、この発明の目的は、複数の素材が記録されていても、記録された素材毎の区別が容易な映像音声素材記録装置を提供することにある。
【００１３】
【課題を解決するための手段】
この発明は、上述した課題を解決するために、放送局で使用され、複数の映像音声素材の入力回線を有する映像音声素材記録装置において、複数の入力回線を切り替える手段と、映像音声素材を記録する記録手段と、記録された映像音声素材の付帯情報を記録するデータベースとを有し、付帯情報には、入力回線情報、時刻情報、映像音声素材の収録機器、映像音声素材に対する取材の項目名、取材を行う人を表す情報および取材が行われる場所を表す情報が含まれることを特徴とする映像音声素材記録装置である。
【００１４】
また、この発明は、上述した課題を解決するために、入力回線情報および時刻情報を自動的にデータベースに登録することを特徴とする映像音声素材記録装置である。
【００１５】
また、この発明は、上述した課題を解決するために、入力回線情報は、入力回線番号、入力回線名称、および入力回線のチャンネルと発局との対応関係を示す情報のうち１または複数であることを特徴とする映像音声素材記録装置である。
【００１６】
また、この発明は、上述した課題を解決するために、時刻情報は、記録開始時刻と記録時間長、または、記録開始時刻と記録終了時刻であることを特徴とする映像音声素材記録装置である。
【００１７】
上述の構成に依れば、この発明は、記録された素材の付帯情報には入力回線情報と時刻情報が含まれるため、素材の特定が容易となる。
【００１８】
【発明の実施の形態】
以下、この発明の実施の一形態について説明する。この発明においては、素材の供給された回線の情報を素材を管理する素材情報に付加することによって、素材毎の区別を行うものである。
【００１９】
図１に、この実施の一形態による映像音声素材記録装置の構成の一例を示す。この映像音声素材記録装置は、上述の図３に示す放送局システムにおける、素材の受け入れ口である素材収録装置１０１に適用される。図１において、入力信号切替装置１には、複数の入力回線ａ1 ，ａ2 ，ａ3 ，‥‥，ａn が接続され、これら入力回線から映像音声素材（以下、素材と称する）が供給される。この入力回線は、例えば６４回線を有する。この入力信号切替装置１によって入力回線ａx が選択され、選択された入力回線ａx が素材記録装置２の入力チャンネルｃｈ1 に接続される。
【００２０】
素材記録装置２は、例えば、ビデオテープレコーダ、ハードディスク、あるいは光磁気ディスクといった、素材を記録するための記録デバイスを有している。素材記録装置２において、入力チャンネルｃｈ1 を介して供給された素材がこの記録デバイスに記録される。なお、この素材記録装置２は、入力チャンネルｃｈ1 ，ｃｈ2 ，ｃｈ3 ，‥‥、といったように、入力チャンネルを複数持つことが可能である。この例では、この素材記録装置２は、入力チャンネルを３チャンネル有している。
【００２１】
中央処理装置３は、この映像音声素材記録装置の全体の処理を司るものである。ユーザは、キーボードやマウスなどによる指示装置５によって、この中央処理装置３に対して指示を与えることができる。また、指示装置５は、表示装置も有し、中央処理装置３からユーザへのメッセージなどは、この指示装置５の表示装置に表示される。
【００２２】
この中央処理装置３から制御装置４に対して素材記録装置２に対する制御の指示が出され、この指示を受け取った制御装置４によって素材記録装置２が制御される。この素材記録装置２の制御の結果を示す情報は、素材記録装置２から制御装置４を介して中央処理装置３に返される。
【００２３】
また、この中央処理装置３の指示によって、入力信号切替装置１の入力回線を、入力回線ａ1 〜ａn から選択し、素材記録装置２の限られた入力チャンネルと接続することができる。この接続の結果を示す情報は、入力信号切替装置１から中央処理装置３に返される。
【００２４】
素材記録装置２に記録される素材に関する各種の付帯情報は、ネットワークやフロッピーディスクなどを介して、例えばニュース送出システムといったような、この映像音声素材記録装置より上位の制御装置から供給される。この供給された付帯情報は、中央処理装置３を介してデータベース６に登録される。このデータベース６は、中央処理装置３によって制御され、データ登録、検索などといったデータベースの操作が行われる。
【００２５】
また、この付帯情報のデータベース６への登録は、ユーザによる指示装置５からの入力によっても行うことができる。すなわち、既に登録された付帯情報の変更、あるいは新たな付帯情報の作成などを行うことができる。
【００２６】
入力回線切替装置１に、入力回線ａ1 〜ａn を介して、各地で取材された素材が供給される。これは、例えば、地点Ａで取材された素材が衛星通信を介して入力回線ａ1 に供給され、また、地点Ｂで取材された素材がディジタル電話回線などの公衆回線を介して入力回線ａ2 に供給され、さらに、地点Ｃで取材された素材がビデオテープとして放送局に持ち込まれ、局内のビデオテープレコーダによって再生され、入力回線ａ3 を介して供給される。このように、この入力信号切替装置１には、複数の素材がそれぞれ別の入力回線を介して供給される。
【００２７】
このように素材記録装置２に記録する素材が入力回線ａ1 〜ａn の何れかに供給されると、中央処理装置３から素材記録装置２に対して、その素材を記録するように指示が出されると共に、入力信号切替装置１に対して、複数の入力回線ａ1 〜ａn から該当する入力回線ａx を選択し、素材記録装置２の指定の入力チャンネル（ここでは、これを入力チャンネルｃｈ1 とする）と接続するように指示が出される。この指示に従い、入力信号切替装置１によって入力回線ａx が選択される。そして、この選択された入力回線ａx は、素材記録装置２の入力チャンネルｃｈ1 に接続される。この接続の結果を示す情報が中央処理装置３に返される。
【００２８】
この入力信号切替装置１における入力回線の選択は、ユーザの手動操作により、この入力信号切替装置１に対して直接的に行われてもよい。この場合には、選択された入力回線および素材記録装置１の入力チャンネルの情報が中央処理装置３に返される。これにより、このように手動で回線が選択された場合でも、中央処理装置３において、素材記録装置２のどの入力チャンネルにどの入力回線が接続されたかが把握される。
【００２９】
入力回線ａx が素材記録装置２の入力チャンネルｃｈ1 に接続されると、素材記録装置２に記録する素材が供給される。この素材は、素材記録装置２の記録デバイスによって記録される。この記録の結果を示す情報、例えば、記録開始時刻、記録終了時刻、記録デバイスの識別情報は、制御装置４を介して中央処理装置３に返される。
【００３０】
図２に、データベース６に登録される、素材の付帯情報の一例を示す。第１項目のデータ種別は、この付帯情報がファイリングデータであることを表し、第２項目の処理種別は、この付帯情報が新規登録、更新、あるいは削除の何れによるものであるかを表す。これら第１項目および第２項目は、この付帯情報をデータベース６に登録するために必要な情報であって、これら自身は、データベース６に登録されない。
【００３１】
第３項目の素材ＩＤは、この付帯情報と対応する素材を関係付け、データベース６が管理するための内部ＩＤを表す。したがって、この素材ＩＤは、素材毎にユニークとされており、例えば、通し番号として自動的に発生される。
【００３２】
第４項目から第１４項目までは、当初立てられた取材予定に基づく情報が登録される。第４項目の伝送予定日時は、素材が素材の発信元からこの映像音声素材記録装置に伝送される予定の時刻を表す。これは、例えば、図に示すように年／月／日／時／分／秒といった形式とされる。同様に、第５項目の、素材の長さを表すＤＵＲ(Duration)は、時／分／秒／フレームといった形式とされる。
【００３３】
第６項目の回線名称・回線番号は、この付帯情報に対応する素材が供給される入力回線の名称あるいは入力回線の番号を表す。すなわち、この第６項目は、上述した入力信号切替装置１において選択される入力回線ａx の名称あるいは番号とされる。
【００３４】
この入力信号切替装置１は、上述したように、中央処理装置３によって制御される。また、手動で入力回線の選択が行われる場合でも、その選択の結果が入力信号切替装置１から中央処理装置３に返される。したがって、選択される入力回線ａx の名称あるいは番号が中央処理装置３からデータベース６に供給される。
【００３５】
また、上述したように、素材記録装置２は、複数の入力チャンネルおよびこれら複数の入力チャンネルのそれぞれに対応した素材記録デバイスを有している場合がある。この場合には、この第６項目に、入力回線ａx が接続される入力チャンネルの名称あるいは番号を、入力回線の名称あるいは番号と共に記してもよい。
【００３６】
第７項目の発局は、この素材の発信元の名称を表す。供給される素材の発信元が分かっているときには、この項目にその名称が記される。
【００３７】
第８項目の自動収録フラグは、素材が伝送された日時に素材収録装置１に対する素材の収録を自動で行うかどうかを表す。また、１つの記録デバイスに収録された素材に対し、複数のユーザがアクセスし使用したい場合がある。これは、マルチアクセスと称されるが、この場合、実際には、同じ素材が使用ユーザで必要とされる数だけコピー（同時収録）される。第９項目のマルチ収録フラグには、このときの、コピーを行う数が記される。
【００３８】
第１０項目において、素材の収録機器、特にメディアの指定が行われる。第１１項目は、次の第１２項目に対する分類フラグである。第１２項目の項目名は、この素材に対する取材の項目名、すなわち素材のタイトルを表す。第１３項目および第１４項目は、この素材の取材を行う人および取材が行われる場所をそれぞれ表す。
【００３９】
以下の第１６項目から第２１項目は、実際の素材の収録に関する情報を表す。第１６項目は、素材の記録に使用された記録デバイスの識別情報を表し、第１７項目は、素材の記録デバイス上における記録されたアドレスを表す。
【００４０】
第１８項目および第１９項目は、素材の実際の記録の開始および終了時刻を表す。なお、第１９項目に示される内容は、この例に示す記録終了時刻の代わりに、記録時間長、すなわち、実際に記録された素材の長さとしてもよい。また、第２０項目は、実際に素材が供給された入力回線の名称あるいは番号を表す。また、第２１項目は、実際の素材の発信元を表す。
【００４１】
ここで、第２０項目および第２１項目は、上述した、取材予定に基づく項目における、回線名称・回線番号の項目である第６項目および発局の項目である第７項目を書き替えることにしてもよい。
【００４２】
以上の第１６項目から第２１項目における情報は、実際の素材の収録に伴って、該当する機器から生成され、中央処理装置３に送られる。したがって、これらの情報は、この中央処理装置３からデータベース６に対して、自動的に登録される。
【００４３】
このようにして、素材の付帯情報がデータベース６に登録される。こうして登録された付帯情報は、例えば、ニュース送出システムにおいて、ニュースの制作を管理するコンピュータがニュースの取材予定を管理する際に利用される。また、ニュース番組の編集などの際に、素材として記録された記録映像／音声信号に関するデータ検索にも用いられる。すなわち、データベース６に登録された素材の付帯情報に対して所定の条件で検索が行われ、検索結果として、例えば素材ＩＤが得られる。そこで、この素材ＩＤに対応付けられた素材が素材記録装置２に収録された素材の中から捜し出され、再生される。同様に、この付帯情報は、対応付けられた素材の再生の際の、再生機器に対する制御データとしても使用される。
【００４４】
ところで、実際の放送局におけるニュース素材の収録は、緊急、突発的なものが多い。このような場合には、事前に取材予定が付帯情報としてデータベース６登録されない場合がある。この場合、素材の付帯情報のうち、上述した第４項目から第１５項目の内容、すなわち、素材の取材予定に基づく情報が得られないことになる。さらには、指示装置５からの付帯情報の直接的な入力も行われない場合もある。このような場合、素材の検索作業は、非常に困難なものとなる。
【００４５】
次に、このように、素材の付帯情報のうち、素材の取材予定に基づく情報である第４項目から第１５項目の内容が得られない場合の素材の検索について説明する。ユーザは、先ず、所望の素材が「何時頃、どの入力回線を介して記録した素材」であるかを調べる。これには、例えば、取材場所に向けて電話を掛ける、実際に取材を行った人に聞く、あるいは素材の供給を受けたオペレータに聞くといった方法が考えられる。
【００４６】
上述したように、素材の実際の記録開始時刻、記録終了時刻、または入力回線名称（入力回線番号）は、素材の素材記録装置２への収録と共に、素材の付帯情報として自動的にデータベース６に登録される。また、素材とこの付帯情報とを対応付ける素材ＩＤも、自動的にデータベース６に登録される。
【００４７】
１つの入力回線に対して複数の素材が同時刻に記録されることはあり得ない。したがって、入力回線名称（入力回線番号）および記録時間帯が同一の素材は存在しない。そのため、素材の記録開始時刻、記録終了時刻（または記録時間長）、および素材を伝送した入力回線名称（入力回線番号）に基づきデータベース６に対して検索を行うことで、検索結果として素材ＩＤを得ることができる。そして、ユーザは、この素材ＩＤに基づき、素材記録装置２に記録されている所望の素材を得ることができる。
【００４８】
【発明の効果】
以上説明したように、この発明によれば、実際に素材が伝送された入力回線名称（入力回線番号）および実際の素材の記録開始時刻（または記録終了時刻）が素材の付帯情報として素材を管理するデータベースに自動的に登録される。１つの入力回線に対して複数の素材が同時刻に記録されることはあり得ず、入力回線名称（入力回線番号）および記録時間帯が同一の素材は存在しない。したがって、ある素材の付帯情報について、素材の取材予定に基づく情報が欠落しても、当該素材を一意に求めることが容易となる効果がある。
【図面の簡単な説明】
【図１】この発明による映像音声素材記録装置の構成の一例を示す略線図である。
【図２】素材の付帯情報の一例を示す略線図である。
【図３】ニュース送出システムの一例を概略的に示す略線図である。
【符号の説明】
１  入力信号切替装置
２  素材記録装置
３  中央処理装置
６  データベース
ａ1 ，ａ2 ，ａ3 ，‥‥，ａn   入力回線
【図１】
0003744027.tif 000002
【図２】
0003744027.tif 000003
【図３】
0003744027.tif 000004